(57)【特許請求の範囲】
【請求項１】
少なくとも映像信号を伝送する導体と、直流の電源の伝送乃至供給を行うための導体と、接地導体と、をそれぞれ芯線として含んでなると共にそのそれぞれがシールドされていない複数の単線がその内部に配置され、すべての単線が所定の順序に配列されて束ねられ、かつその周囲に被覆部材を配置してなる信号伝送用ケーブルであって、
上記映像信号は輝度信号と色信号とがそれぞれ独立の信号として別々の単線で伝送され、かつ、この輝度信号が伝送される単線と色信号が伝送される単線とが、上記被覆部材に沿った外周側沿いであって互いに最も離間した位置関係となる外周側の反対側の位置に配置される
ことを特徴とする信号伝送用ケーブル。
【請求項２】
少なくとも映像信号を伝送する導体と、直流の電源の伝送乃至供給を行うための導体と、接地導体と、をそれぞれ芯線として含んでなると共にそのそれぞれがシールドされていない複数の単線がその内部に配置され、すべての単線が所定の順序に配列されて束ねられ、かつその周囲に被覆部材を配置してなる信号伝送用ケーブルであって、
上記映像信号はＲＧＢ信号がそれぞれ独立の信号として別々の単線で伝送され、かつ、このＲＧＢ信号が伝送される各単線が、上記被覆部材に沿った外周側沿いであって互いに最も離間した位置関係となる外周側に沿って３等分された位置にそれぞれが配置される
ことを特徴とする信号伝送用ケーブル。
【発明の詳細な説明】
【０００１】
【発明の属する技術分野】
本発明は、信号伝送用ケーブル、より詳しくは、相対的に周波数の高い信号を伝送する導体を含んでなる信号伝送用ケーブルに関する。
【０００２】
【従来の技術】
従来より、離れた２つの機器間（例えば０．３ｍ程度以上、１０ｍ程度以下）で帯域の広い映像信号（１ＭＨｚ以上）を伝送する場合は、同軸ケーブルやシールド線を用いることにより、該ケーブル内で映像信号が反射することのないように、またケーブルから電磁波等の放射がないように、さらには外来ノイズの影響を受けることがないようにしている。
【０００３】
こうした離れた２つの機器間を接続する例としては、例えばＣＣＤカメラとＣＣＵ（カメラコントロールユニット）を接続するものや、あるいは特開平８−４０３９５号公報に記載の頭部装着型映像表示装置のように、映像表示装置本体１とアダプター部５とを専用の中継ケーブルにより接続するものが挙げられる。
【０００４】
上記特開平８−４０３９５号公報には、上記中継ケーブルの内部構造については特に述べられていないが、通常の場合には、映像信号や音声信号、制御信号などをまとめて伝送するために、各信号を伝送する線を束ねて構成される複合ケーブルを用いるのが普通である。
【０００５】
こうした従来の機器間の接続に用いられる複合ケーブルの一例を、図１１を参照して説明する。
【０００６】
この信号伝送用ケーブル１０１は、例えば映像信号やＣＣＤ駆動用信号等の高周波の信号を伝送するための複数の同軸線１０５と、その他の電源やグランド（ＧＮＤ）などに用いるための複数の単線１０４とを、一括シールド部材１０３により被った後に、ビニールやゴムなどにより構成される外被覆部材１０２により被って構成されている。
【０００７】
さらに、上記単線１０４は、導体１０７を芯線としてその外側を外被覆部材１０６により被って構成され、上記同軸線１０５は、導体１１１を絶縁体１１０およびシールド部材１０９で被った後に、外被覆部材１０８により被って構成されている。
【０００８】
信号を伝送する線同士のクロストークは、例えば１５０Ｈｚ程度の周波数の信号の場合にも発生するが、周波数が高くなるほど発生しやすくなるために、周波数の比較的高い信号である映像信号やクロック信号（タイミング信号）等を伝送するのに同軸ケーブルやシールド線を用いて、クロストークや外来ノイズ、放射ノイズを減少させるようにしている。
【０００９】
【発明が解決しようとする課題】
しかしながら、上述したような同軸ケーブルやシールド線は、単線に比べてコストが高くなるとともに、複合ケーブル全体が太径化してしまうという難点がある。近年は、携帯可能な画像観察システム、例えば携帯型のＤＶＤ（デジタルビデオディスク）プレーヤと、頭部に装着して画像を観察可能なＨＭＤ（ヘッドマウンティドディスプレイ）とを用いて手軽に映像を楽しむことができるシステムが提案されており、特にこうした携帯型のシステムにおいては、細径で扱い易い複合ケーブルが望まれている。
【００１０】
また、製造工程において複合ケーブルにコネクタを接続する場合には、同軸線やシールド線を接続する際に、人手を用いて特別な工具により接続作業を行わなければならず、生産性の低下やコストの上昇を招く要因となっていた。
【００１１】
このような事情に対処するために、単線のみを用いて複合ケーブルを構成することが考えられる。
【００１２】
このような複合ケーブルの一例を図１２に示す。
【００１３】
この複合ケーブル１２１は、図示のように、外周側上部から時計周りに、＋１３Ｖの電源ラインである＋１３Ｖ線１２６と、グランドに接続されるＧＮＤ線１２７および１２８と、＋５Ｖの電源ラインである＋５Ｖ線１２９と、制御信号用のコモンレベルとなるＦＣＮ線１３０と、ＹＣ分離された映像信号中の色信号Ｃを伝送するＣ線１３１と、レフト側（左耳側）の音声信号用の音Ｌ線１３２と、音声信号用のコモンレベルとなる音Ｃ線１３３と、＋７Ｖの電源ラインである＋７Ｖ線１３４と、コントラスト用の制御信号を送るためのＣＯＮＴ線１３５との１０本の単線を配置し、さらに、内周側左上部から時計周りに、ライト側（右耳側）の音声信号用の音Ｒ線１２２と、＋５Ｖの電源ラインである＋５Ｖ線１２３と、上記映像信号中の輝度信号Ｙを伝送するＹ線１２４と、制御信号を送るためのＦＥＮ線１２５との４本の単線を配置し、これらを内被覆部材８により一纏めにした後に外被覆部材７により被って構成されている。
【００１４】
しかしながら、このように配置した複合ケーブルでは、映像信号を電送するＹ線とＣ線が近接されているために、図５（本発明の実施形態を示す図面を参照する。）に示すような色信号Ｃ（Ｃ信号）と輝度信号Ｙ（Ｙ信号）を、例えば１２０ｃｍの長さの上記構成の複合ケーブルにより伝送すると、該色信号Ｃの典型的な周波数が３．５８ＭＨｚと比較的高周波であることに起因して、図１３に示すように、クロストークが生じて輝度信号Ｙに色信号Ｃの成分が混入してしまい、表示画像上でも確認される程度のノイズとなってしまうことがある。
【００１５】
また、図１４はコンポジット信号を伝送する線を含む複合ケーブルの一例を示す図である。
【００１６】
この複合ケーブル１４１は、図示のように、外周側上部から時計周りに、グランドに接続されるＧＮＤ線１４６，１４７，１４８と、＋５Ｖの電源ラインである＋５Ｖ線１４９と、制御信号用のコモンレベルとなるＦＣＮ線１５０と、ライト側（右耳側）の音声信号用の音Ｒ線１５１と、コンポジット信号でなる映像信号を伝送するＣＯＭＰ線１５２と、音声信号用のコモンレベルとなる音Ｃ線１５３と、＋１３Ｖの電源ラインである＋１３Ｖ線１５４と、コントラスト用の制御信号を送るためのＣＯＮＴ線１５５との１０本の単線を配置し、さらに、内周側左上部から時計周りに制御信号を送るためのＦＥＮ線１４２と、＋５Ｖの電源ラインである＋５Ｖ線１４３と、レフト側（左耳側）の音声信号用の音Ｌ線１４４と、＋７Ｖの電源ラインである＋７Ｖ線１４５との４本の単線を配置し、これらを内被覆部材８により一纏めにした後に外被覆部材７により被って構成されている。
【００１７】
このような配置の複合ケーブルでは、コンポジット信号を伝送するＣＯＭＰ線１５２の近傍に、例えばＧＮＤ線等の安定した信号を伝送する線が配置されていないために、良好な分布インピーダンスをとることができず、図９（本発明の実施形態を示す図面を参照する）に示すような信号を上述と同様に伝送しても、映像信号内で反射波が発生して、図１５に示すようにリンギング波形が生じてしまうことがあった。このリンギングは放射ノイズの原因となるが、この例のように単線を用いた場合には、シールド部材が設けられていないために、それらの多くが電磁波として放射されることになってしまう。
【００１８】
本発明は上記事情に鑑みてなされたものであり、伝送する信号の品質を低下させることなく、細径化やコストの低下を図ることができる信号伝送用ケーブルを提供することを目的としている。
【００１９】
【課題を解決するための手段】
上記の目的を達成するために、第１の発明による信号伝送用ケーブルは、少なくとも映像信号を伝送する導体と、直流の電源の伝送乃至供給を行うための導体と、接地導体と、をそれぞれ芯線として含んでなると共にそのそれぞれがシールドされていない複数の単線がその内部に配置され、すべての単線が所定の順序に配列されて束ねられ、かつその周囲に被覆部材を配置してなる信号伝送用ケーブルであって、上記映像信号は輝度信号と色信号とがそれぞれ独立の信号として別々の単線で伝送され、かつ、この輝度信号が伝送される単線と色信号が伝送される単線とが、上記被覆部材に沿った外周側沿いであって互いに最も離間した位置関係となる外周側の反対側の位置に配置されることを特徴とする。
【００２０】
また、第２の発明による信号伝送用ケーブルは、少なくとも映像信号を伝送する導体と、直流の電源の伝送乃至供給を行うための導体と、接地導体と、をそれぞれ芯線として含んでなると共にそのそれぞれがシールドされていない複数の単線がその内部に配置され、すべての単線が所定の順序に配列されて束ねられ、かつその周囲に被覆部材を配置してなる信号伝送用ケーブルであって、上記映像信号はＲＧＢ信号がそれぞれ独立の信号として別々の単線で伝送され、かつ、このＲＧＢ信号が伝送される各単線が、上記被覆部材に沿った外周側沿いであって互いに最も離間した位置関係となる外周側に沿って３等分された位置にそれぞれが配置されることを特徴とする。
【００２１】
【発明の実施の形態】
以下、図面を参照して本発明の実施の形態を説明する。
図１から図６は本発明の第１の実施形態を示したものであり、図１は画像観察システムの構成を示す斜視図である。
【００２２】
この画像観察システムは、図示のように、デジタルビデオディスク（ＤＶＤ）６の画像情報等を読み出して再生する携帯型のＤＶＤプレーヤ１と、このＤＶＤプレーヤ１から伝送される画像信号に基いて内蔵する小型の映像表示素子により可視像を形成し、該可視像を光学系により装着者が観察するのに適した大きさに拡大して投影する可搬型のヘッドマウンティドディスプレイ（ＨＭＤ）２とを有して構成されている。
【００２３】
ここに、上記ＤＶＤプレーヤ１は映像情報の供給源となる第１の装置であり、上記ＨＭＤ２は該映像情報による画像を表示するための第２の装置である。
【００２４】
上記ＤＶＤプレーヤ１とＨＭＤ２は、信号伝送用ケーブルである複合ケーブル３，５により接続されていて、これらの複合ケーブル３，５の間にはコントローラ４が介挿されている。
【００２５】
すなわち、上記ＤＶＤプレーヤ１には複合ケーブル５の一端に設けられたコネクタ５ｂが接続されるとともに、その他端のコネクタ５ａがコントローラ４に接続されている。さらに、コントローラ４には複合ケーブル３の一端に設けられたコネクタ３ａが接続されるとともに、その他端のコネクタ３ｂ（図２参照）はＨＭＤ２の内部において図示しない電子回路に接続されている。
【００２６】
上記コントローラ４は、上記ＤＶＤプレーヤ１やＨＭＤ２を操作するためのものであり、各種のスイッチ類を操作することによって、上記ＨＭＤ２の画質や音量等を調整したり、ＤＶＤプレーヤ１の起動、再生、一時停止等の動作を制御したりすることができるようになっている。
【００２７】
これらＤＶＤプレーヤ１やＨＭＤ２、あるいはコントローラ４は、携帯性を考慮してバッテリによる駆動が可能であるとともに、必要に応じてＡＣ電源に接続することにより、該ＡＣ電源からの電力供給を得ることができるようになっている。
【００２８】
図２は複合ケーブル３を示す側面図、図３は複合ケーブル３の内部の構成を示す斜視図である。
【００２９】
上述したように、複合ケーブル３は、一端側に上記コントローラ４と着脱自在に接続するためのコネクタ３ａが設けられているとともに、他端側にはＨＭＤ２の内部に配設された電子回路基板等に接続するためのコネクタ３ｂが設けられている。
【００３０】
この複合ケーブル３は、図３に示すように、複数の単線９を所定の順序に配列した後にひねりを加えた状態で内被覆部材８（図４参照）により一纏めにし、これを絶縁体で構成される外被覆部材７により被って構成されている。
【００３１】
なお、上記単線９は、上記図１１において単線１０４として説明したものと同様に、芯線となる導体を、絶縁体でなる外被覆部材で被って構成されたものである。
【００３２】
このような構成により、複合ケーブル３の内部の単線の配置は、上記ひねりによる回転位置の違いを除いて、どの位置で断面をとって見ても同一となっている。それ故に、どの単線をどの信号を伝送するための線として用いるかを、適宜決定して配置することができ、配置を変更したい場合にも、複合ケーブル３の構造そのものは変更することなく対応することができる。
【００３３】
さらに、複合ケーブル３を上記コネクタ３ａ，３ｂに接続する際にも、全て単線９により構成されているために、特殊な工具や人手を必要とせず、自動化による接続作業も可能となる。
【００３４】
図４は、上記複合ケーブル３内の各単線９により伝送される信号の構成を示す断面図である。
【００３５】
この複合ケーブル３は、図示のように、外周側左上部から時計周りに、映像情報を含む信号であるＹＣ分離された映像信号中の色情報を含む色信号Ｃを伝送するＣ線１５と、＋１３Ｖの電源ラインである＋１３Ｖ線１６と、制御信号を送るためのＦＥＮ線１７と、＋９Ｖの電源ラインである＋９Ｖ線１８と、グランドに接続されるＧＮＤ線１９と、上記映像信号中の輝度情報を含む輝度信号Ｙを伝送するＹ線２０と、グランドに接続されるＧＮＤ線２１と、音声信号用のコモンレベルとなる音Ｃ線２２と、レフト側（左耳側）の音声信号用の音Ｌ線２３と、コントラスト用の制御信号を送るためのＣＯＮＴ線２４との１０本の単線を配置し、さらに、内周側左上部から時計周りに＋５Ｖの電源ラインである＋５Ｖ線１１と、制御信号用のコモンレベルとなるＦＣＮ線１２と、＋５Ｖの電源ラインである＋５Ｖ線１３と、ライト側（右耳側）の音声信号用の音Ｒ線１４との４本の単線を配置して構成されている。
【００３６】
なお、ここに、グランドは機器内の基準となるレベルを示しており、例えばバッテリにより動作する機器では、必ずしも大地（地球）と接地されるアースと一致するとは限らない。従って、本発明の接地導体の電位は、アースの電位に限定されるものではなく、機器内において基準となる電位をも含むものである。
【００３７】
上記複合ケーブル３は、上述したように、比較的周波数の高い信号である映像信号中の輝度信号Ｙを伝送するＹ線２０と色信号Ｃを伝送するＣ線１５とを外周側に沿った反対側に配置して、最も離れた位置関係となるようにするとともに、これらＹ線２０とＣ線１５との間には比較的安定した信号線である＋５Ｖ線１１，１３の電源ラインや制御信号用のコモンレベルとなるＦＣＮ線１２などを配置している。
【００３８】
このような構成により、輝度信号Ｙと色信号Ｃの間にクロストークが発生するのを抑制することができるようになっている。これについて、図５および図６を参照して説明する。
【００３９】
図５は７５％のカラーバーを撮像したときの撮像信号に係る色信号Ｃと輝度信号Ｙの様子を示すタイムチャート、図６は複合ケーブル３を介して出力される輝度信号Ｙの様子を示すタイムチャートである。
【００４０】
縦方向に細長の色帯が横方向に複数並べられて構成されているカラーバーを撮像すると、水平同期信号で１Ｈ期間が規定される輝度Ｙは、図示のような階段状となり、各色帯の色に応じた色信号Ｃが各々対応して出力される。
【００４１】
この図５に示すような色信号Ｃと輝度信号Ｙを上述したような複合ケーブル３を介して伝送すると、図６に示すような輝度信号Ｙが複合ケーブル３の他端から出力され、上記従来例において図１３を参照して説明したようなクロストークによる色信号Ｃの輝度信号Ｙへの混入は発生しない。
【００４２】
上記複合ケーブル３においては、さらに、音Ｒ線１４と音Ｌ線２３の近傍に音Ｃ線２２を配置して、音声信号間のクロストークも同様に低減させるように構成している。
【００４３】
なお、上述ではＹ線２０とＣ線１５との間に電源ラインを配置したが、ＧＮＤ線などを配置すれば、よりクロストークの発生を抑制する効果を高めることも可能である。
【００４４】
また、上述では音Ｒ線１４と音Ｌ線２３の近傍に音Ｃ線２２を配置したが、上述した映像信号の場合と同様に、音Ｒ線１４と音Ｌ線２３を複合ケーブル３の外周側に沿った反対側に配置するとともに、これら音Ｒ線１４と音Ｌ線２３との間に上記音Ｃ線２２やＧＮＤ線などを配置することにより、より一層、音声信号間のクロストークを抑制することも可能である。
【００４５】
さらに、上述では複数の電源ラインが設けられているが、これらの内の例えば＋１３Ｖ線や＋７Ｖ線が不要である場合には、グランドに接続してＧＮＤ線として用いることにより、複合ケーブルを構成する単線の数を変更することなく、すなわち複合ケーブルを新たに設計することなくそのまま使用可能であるとともに、ＧＮＤ線が増加することにより、より一層伝送する信号の安定性を増すことも可能となる。
【００４６】
なお、上述では、上記構成の複合ケーブルをＤＶＤプレーヤとＨＭＤとで構成される画像観察システムに適用する場合について説明したが、もちろんこれらの組み合わせに限るものではなく、、各種の機器間で映像信号や音声信号などの比較的周波数の高い信号を伝送するケーブルに広く適用することができる。
【００４７】
また、上述では複合ケーブル３を例にとって説明したが、複合ケーブル５も同様に構成されていても良いことはいうまでもない。
【００４８】
さらに、上述では比較的周波数の高い信号についてクロストークなどによるノイズを減少させるようにしたが、これに限らず、周波数が比較的低い信号であっても、ノイズを極力減少させたい場合には、上述したような構成を適用することにより、信号を良好に伝送することができる。
【００４９】
このような第１の実施形態によれば、複合ケーブルを単線のみで構成したために、比較的周波数の高い信号である輝度信号と色信号の間や、左右の音声信号間のクロストークを抑制することができる。
【００５０】
さらに、輝度信号を伝送する線と色信号を伝送する線の間や近傍に、比較的安定した線であるＧＮＤ線や電源線を配置することによって、シールドの効果を得ることができ、より一層クロストークを低減することができる。
【００５１】
また、複合ケーブルが単線のみで構成されているために、製造工程においてコネクタを接続する際に、人手や特別な工具を用いる必要がなくなり、自動化による接続作業が可能となって、生産性の向上やコストの低下を図ることが可能である。
【００５２】
こうして、伝送する信号の品質を低下させることなく、細径化やコストの低下を図ることができる信号伝送用ケーブルとなる。
【００５３】
図７は本発明の第２の実施形態を示したものであり、図７は複合ケーブル内の各単線により伝送される信号の構成を示す断面図である。この第２の実施形態において、上述の第１の実施形態と同様である部分については説明を省略し、主として異なる点についてのみ説明する。
【００５４】
この第２の実施形態は、単線のみで構成した複合ケーブルを、映像信号を構成する複数のコンポーネント信号であるＲＧＢ信号を伝送する場合に適用したものである。
【００５５】
この複合ケーブル３Ａは、図７に示すように、外周側左上部から時計周りに、制御信号を送るためのＦＥＮ線４４と、ＲＧＢに色分離された映像信号中の色信号Ｒを伝送するＲ線３５と、音声信号用のコモンレベルとなる音Ｃ線３６と、ライト側（右耳側）の音声信号用の音Ｒ線３７と、上記映像信号中の色信号Ｂを伝送するＢ線３８と、＋１３．５Ｖの電源ラインである＋１３．５Ｖ線３９と、制御信号用のコモンレベルとなるＦＣＮ線４０と、上記映像信号中の色信号Ｇを伝送するＧ線４１と、レフト側（左耳側）の音声信号用の音Ｌ線４２と、＋９Ｖの電源ラインである＋９Ｖ線４３との１０本の単線を配置し、さらに、内周側左上部から時計周りに、グランドに接続されるＧＮＤ線３１と、＋５Ｖの電源ラインである＋５Ｖ線３２と、グランドに接続されるＧＮＤ線３３および３４との４本の単線を配置して構成されている。
【００５６】
上記複合ケーブル３Ａは、上述したように、映像信号中のＲＧＢ各色に係る色信号を伝送するＲ線３５、Ｇ線４１、Ｂ線３８を外周側に沿った略３等分位置に配置して、互いに最も離れた位置関係となるようにするとともに、これらＲ線３５、Ｇ線４１、Ｂ線３８の間となる位置には３本のＧＮＤ線３１，３３，３４や＋５Ｖ線３２などの比較的安定した信号線を配置している。
【００５７】
これにより、Ｒ線３５、Ｇ線４１、Ｂ線３８同士の間にクロストークが発生するのを、上述したように抑制することができるようになっている。
【００５８】
さらにこの複合ケーブル３Ａは、音Ｒ線３７と音Ｌ線４２を外周側に沿った反対側に配置して、最も離れた位置関係となるようにするとともに、上記３本のＧＮＤ線３１，３３，３４や＋５Ｖ線３２などの比較的安定した信号線がこれら音Ｒ線３７と音Ｌ線４２の間となるように配置している。
【００５９】
これにより、音Ｒ線３７と音Ｌ線４２の間にクロストークが発生するのも、同様にして抑制している。
【００６０】
このような第２の実施形態によれば、映像信号がＲＧＢ信号である場合にも、上述した第１の実施形態とほぼ同様の効果を奏することができる。
【００６１】
図８から図１０は本発明の参考例を示したものであり、図８は複合ケーブル内の各単線により伝送される信号の構成を示す断面図である。この参考例において、上述の第１，第２の実施形態と同様である部分については説明を省略し、主として異なる点についてのみ説明する。
【００６２】
この参考例は、単線のみで構成した複合ケーブルを、映像信号としてコンポジット信号を伝送する場合に適用したものである。
【００６３】
この複合ケーブル３Ｂは、図８に示すように、外周側左上部から時計周りに、レフト側（左耳側）の音声信号用の音Ｌ線６４と、音声信号用のコモンレベルとなる音Ｃ線５５と、ライト側（右耳側）の音声信号用の音Ｒ線５６と、＋５Ｖの電源ラインである＋５Ｖ線５７と、グランドに接続されるＧＮＤ線５８，５９，６０と、＋１３Ｖの電源ラインである＋１３Ｖ線６１と、＋９Ｖの電源ラインである＋９Ｖ線６２と、制御信号を送るためのＦＥＮ線６３との１０本の単線を配置し、さらに、内周側左上部から時計周りに、グランドに接続されるＧＮＤ線５１および５２と、コンポジット信号でなる映像信号を伝送するＣＯＭＰ線５３と、グランドに接続されるＧＮＤ線５４との４本の単線を配置して構成されている。
【００６４】
上記複合ケーブル３Ｂは、上述したように、コンポジット信号でなる映像信号を伝送するＣＯＭＰ線５３の周囲を、最も安定した線である６本のＧＮＤ線５１，５２，５８，５９，６０，５４により取り囲むように配置するとともに、さらにこれらに次ぐ近傍となる位置に、安定した信号線である電源ライン＋５Ｖ線５７，＋１３Ｖ線６１，＋９Ｖ線６２を配設している。
【００６５】
これにより、空間を飛び交うノイズが、周囲のＧＮＤ線５１，５２，５８，５９，６０，５４や各電源ライン＋５Ｖ線５７，＋１３Ｖ線６１，＋９Ｖ線６２により遮断されるために、外来ノイズの映像信号への混入を抑制することができるとともに、該ＣＯＭＰ線５３からの放射ノイズも減少させることができる。
【００６６】
さらに、上述したような複合ケーブル３Ｂによれば、分布インピーダンスが定まったものになるために、図９に示すような映像信号をＣＯＭＰ線５３の一端から伝送すると、他端からは例えば図１０に示すような出力信号が得られ、上記従来例において図１５を参照して説明した場合に比べて、ケーブル内の反射を抑制することができる。
【００６７】
なお、上述では映像信号を伝送する線をＧＮＤ線や電源ラインなどにより取り囲んだが、音声信号を伝送する線を取り囲むようにすれば、同様の効果を音声信号に関して奏することが可能である。
【００６８】
このような参考例によれば、映像信号がコンポジット信号である場合にも、上述した第１，第２の実施形態とほぼ同様の効果を奏するとともに、外来ノイズの侵入を防いで放射ノイズを減少させることができる。さらには、分布インピーダンスを適切なものにして反射波を抑制することができ、高品位の映像信号を伝送することが可能となる。
【００６９】
なお、本発明は上述した各実施形態に限定されるものではなく、発明の主旨を逸脱しない範囲内において種々の変形や応用が可能であることは勿論である。
【００７０】
［付記］
以上詳述したような本発明の上記実施形態によれば、以下のごとき構成を得ることができる。
【００７１】
（１）  比較的周波数の高い信号の伝送を行うための導体と、複数の接地導体と、を芯線として含んでなる信号伝送用ケーブルであって、
上記比較的周波数の高い信号の伝送を行うための導体に隣接乃至近接して上記複数の接地導体のうちの少なくとも一部のものが位置を占めるように各該当する導体の配置が設定されてなることを特徴とする信号伝送用ケーブル。
【００７２】
（２）  上記比較的周波数の高い信号の伝送を行うための導体はコンポジット映像信号の伝送に供されるようになされたものであることを特徴とする付記（１）に記載の信号伝送用ケーブル。
【００７３】
（３）  相対的に周波数の高い信号の伝送を行うための複数の導体と、相対的に周波数の低い信号乃至実質的に直流の電源の伝送乃至供給を行うための複数の導体或いは接地導体と、を芯線として含んでなる信号伝送用ケーブルによって映像情報の供給源となる第１の装置と該映像情報による画像を表示するための第２の装置とを結んで構成される画像観察システムであって、
上記信号伝送用ケーブルは、上記相対的に周波数の高い信号としての映像信号の各要素をなす各別の信号の伝送を行うための夫々の導体を相互に離隔して配置し、且つ、該離隔して配置された夫々の導体の間に上記相対的に周波数の低い信号乃至実質的に直流の電源の伝送乃至供給を行うための複数の導体或いは接地導体が位置を占めるように、各導体の配置が設定されてなるものであることを特徴とする画像観察システム。
【００７４】
（４）  比較的周波数の高い信号の伝送を行うための導体と、複数の接地導体と、を芯線として含んでなる信号伝送用ケーブルによって映像情報の供給源となる第１の装置と該映像情報による画像を表示するための第２の装置とを結んで構成される画像観察システムであって、
上記信号伝送用ケーブルは、上記比較的周波数の高い信号としてのコンポジット映像信号の伝送を行うための導体に隣接乃至近接して上記複数の接地導体のうちの少なくとも一部のものが位置を占めるように各該当する導体の配置が設定されてなるものであることを特徴とする画像観察システム。
【００７５】
付記（１）に記載の発明によれば、比較的周波数の高い信号に対して外来ノイズが混入するのを抑制することができるとともに、比較的周波数の高い信号による電磁波が外部に伝播するのを抑制することが可能となる。
【００７６】
付記（２）に記載の発明によれば、付記（１）の発明と同様の効果を奏するとともに、コンポジット映像信号に対して外来ノイズが混入するのを抑制することができるとともに、コンポジット映像信号による電磁波が外部に伝播するのを抑制することが可能となる。
【００７７】
付記（３）に記載の発明によれば、映像信号の各要素をなす各別の信号相互間でのクロストークを抑制することができる。
【００７８】
付記（４）に記載の発明によれば、コンポジット映像信号に対して外来ノイズが混入するのを抑制することができるとともに、コンポジット映像信号による電磁波が外部に伝播するのを抑制することが可能となる。
【００７９】
【発明の効果】
以上説明したように本発明の信号伝送用ケーブルによれば、相対的に周波数の高い信号相互間でのクロストークを抑制することができる。
【００８０】
また、本発明の信号伝送用ケーブルによれば、映像情報のうちの輝度情報の信号と色情報の信号との相互間でのクロストークを抑制することができる。
【００８１】
さらに、本発明の信号伝送用ケーブルによれば、映像情報のうちの複数のコンポーネント信号相互間でのクロストークを抑制することができる。
【図面の簡単な説明】
【図１】  本発明の第１の実施形態の画像観察システムの構成を示す斜視図。
【図２】  上記第１の実施形態の複合ケーブルを示す側面図。
【図３】  上記第１の実施形態の複合ケーブルの内部構成を示す斜視図。
【図４】  上記第１の実施形態の複合ケーブル内の各単線により伝送される信号の構成を示す断面図。
【図５】  上記第１の実施形態において、７５％のカラーバーを撮像したときの撮像信号に係る色信号Ｃと輝度信号Ｙの様子を示すタイムチャート。
【図６】  上記第１の実施形態において、複合ケーブルを介して出力される輝度信号Ｙの様子を示すタイムチャート。
【図７】  本発明の第２の実施形態において、複合ケーブル内の各単線により伝送される信号の構成を示す断面図。
【図８】  本発明の参考例において、複合ケーブル内の各単線により伝送される信号の構成を示す断面図。
【図９】  上記参考例において、複合ケーブルに入力するときのコンポジット信号の概要を示すタイムチャート。
【図１０】  上記参考例において、複合ケーブルから出力するときのコンポジット信号の概要を示すタイムチャート。
【図１１】  従来の機器間の接続に用いられる複合ケーブルの一例を示す断面図。
【図１２】  単線のみを用いてＹＣ分離された映像信号を伝送する複合ケーブルを構成したときのあまり好ましくない例を示す図。
【図１３】  上記図１２の信号線により伝送した輝度信号Ｙにクロストークによるノイズが生じている状態を示すタイムチャート。
【図１４】  単線のみを用いてコンポジット信号でなる映像信号を伝送する複合ケーブルを構成したときのあまり好ましくない例を示す図。
【図１５】  上記図１４の信号線により伝送したコンポジット信号に反射波によるノイズが生じている状態を示すタイムチャート。
【符号の説明】
１…デジタルビデオディスクプレーヤ（ＤＶＤプレーヤ）（映像情報の供給源となる第１の装置）
２…ヘッドマウンティドディスプレイ（ＨＭＤ）（映像情報による画像を表示するための第２の装置）
３，３Ａ，３Ｂ，５…複合ケーブル（信号伝送用ケーブル）
４…コントローラ
９…単線
１５…Ｃ線（映像情報のうちの色情報の信号の伝送に供される導体）
２０…Ｙ線（映像情報のうちの輝度情報の信号の伝送に供される導体）
３５…Ｒ線（映像情報の伝送に供される導体）
３８…Ｂ線（映像情報の伝送に供される導体）
４１…Ｇ線（映像情報の伝送に供される導体）
５３…ＣＯＭＰ線（コンポジット映像信号の伝送に供される導体）
【図１】
0004372855.tif 000002
【図２】
0004372855.tif 000003
【図３】
0004372855.tif 000004
【図４】
0004372855.tif 000005
【図５】
0004372855.tif 000006
【図６】
0004372855.tif 000007
【図７】
0004372855.tif 000008
【図８】
0004372855.tif 000009
【図９】
0004372855.tif 000010
【図１０】
0004372855.tif 000011
【図１１】
0004372855.tif 000012
【図１２】
0004372855.tif 000013
【図１３】
0004372855.tif 000014
【図１４】
0004372855.tif 000015
【図１５】
0004372855.tif 000016